(57)【要約】【課題】内部の様子を容易に確認できるようにすること。【解決手段】スライダ本体３ａの軸方向の端面に固定されるエンドキャップ３ｂを透明な樹脂で形成した。そのため、方向転換路を通過する転動体５の様子をエンドキャップ３ｂの透明な樹脂越しに外部から観察することができ、リニアガイド１を分解する手間がなく、転動体５の玉抜けや潤滑状態等、内部の様子を容易に確認することができる。【選択図】  図１
2007298053.tif 000002
【特許請求の範囲】
【請求項１】
案内レールと、その案内レールに沿って移動するスライダ本体と、そのスライダ本体の端面に固定されるエンドキャップとを備え、前記案内レール側面に形成された転動体転動溝及びその転動体転動溝に対向するように前記スライダ本体に形成された転動体転動溝で構成される転動体転動路と、前記スライダの端面間を貫通する転動体戻り路と、それら転動体転動路及び転動体戻り路を連通するように前記エンドキャップに形成された方向転換路とで転動体循環路とが形成され、その転動体循環路内に転動自在に多数の転動体を挿入してなるリニアガイドの前記エンドキャップであって、
透明な樹脂製であることを特徴とするエンドキャップ。
【請求項２】
案内レールと、その案内レールに沿って移動するスライダ本体と、そのスライダ本体の端面に固定されるエンドキャップとを備え、前記案内レール側面に形成された転動体転動溝及びその転動体転動溝に対向するように前記スライダ本体に形成された転動体転動溝で構成される転動体転動路と、前記スライダの端面間を貫通する転動体戻り路と、それら転動体転動路及び転動体戻り路を連通するように前記エンドキャップに形成された方向転換路とで転動体循環路とが形成され、その転動体循環路内に転動自在に多数の転動体を挿入してなり、前記案内レールの転動体転動溝を複数備えると共に、前記スライダ本体の転動体転動溝を複数備え、それらスライダ本体の転動体転動溝間に設けられて前記転動体の脱落を防止する転動体保持器を備え、さらに、前記エンドキャップは透明の樹脂製であるリニアガイドの前記転動体保持器であって、
透明な樹脂製であることを特徴とする転動体保持器。
【請求項３】
請求項１記載のエンドキャップを備えたことを特徴とするリニアガイド。
【請求項４】
請求項２記載の転動体保持器を備えたことを特徴とする請求項３に記載のリニアガイド。
【請求項５】
互いに隣り合う転動体間に介挿されるセパレータを備え、前記セパレータは不透明の樹脂製であることを特徴とする請求項４に記載のリニアガイド。
【発明の詳細な説明】
【技術分野】
【０００１】
本発明は、案内レールとスライダとの間に形成された複数の転動体転動路に転動自在な複数の転動体を有するリニアガイドのエンドキャップ、転動体保持器及びリニアガイドに関する。
【背景技術】
【０００２】
従来、この種のリニアガイドとしては、例えば、直線状に伸びている案内レールと、その案内レールの転動体転動溝に対向する転動体転動溝を有し、前記案内レールに跨架されたスライダと、それら案内レールの転動体転動溝とスライダの転動体転動溝との間（転動体転動路）に挿入された複数の鋼球と、を含んで構成され、それら複数の鋼球を介してスライダを案内レールの長手方向に沿って相対移動可能としたものがある。
【０００３】
このようなリニアガイドにあっては、通常、スライダは、端面間を貫通する転動体戻り路を有するスライダ本体と、それら転動体転動路及び転動体戻り路を連通する湾曲状の方向転換路を有して前記スライダ本体の軸方向の端面に固定された不透明（例えば、黒色）な樹脂製のエンドキャップと、を含んで構成される（例えば、特許文献１及び２参照）。
【特許文献１】特開２００２−２７６６５６号公報
【特許文献２】特開２００３−２６９４６３号公報
【非特許文献１】「日本精工  精機製品カタログ  ２００４」、日本精工株式会社、２００４年
【非特許文献２】「ＴＨＫ  直動システム総合カタログ」、ＴＨＫ株式会社、Ｎｏ．４０１−２００４
【発明の開示】
【発明が解決しようとする課題】
【０００４】
しかしながら、上記従来のリニアガイドにあっては、玉抜けの有無や潤滑状態等、内部の様子を確認する場合には、分解しなければならず、多くの手間を要していた。
本発明は、上記従来のリニアガイドの未解決の問題点を解決することを目的とするものであって、内部の様子を容易に確認可能なエンドキャップ、転動体保持器及びリニアガイドを提供することを課題とする。
【課題を解決するための手段】
【０００５】
上記課題を解決するため、本発明のエンドキャップは、案内レールと、その案内レールに沿って移動するスライダ本体と、そのスライダ本体の端面に固定されるエンドキャップとを備え、前記案内レール側面に形成された転動体転動溝及びその転動体転動溝に対向するように前記スライダ本体に形成された転動体転動溝で構成される転動体転動路と、前記スライダの端面間を貫通する転動体戻り路と、それら転動体転動路及び転動体戻り路を連通するように前記エンドキャップに形成された方向転換路とで転動体循環路とが形成され、その転動体循環路内に転動自在に多数の転動体を挿入してなるリニアガイドの前記エンドキャップであって、透明な樹脂製であることを特徴とする。
【０００６】
また、本発明の転動体保持器は、案内レールと、その案内レールに沿って移動するスライダ本体と、そのスライダ本体の端面に固定されるエンドキャップとを備え、前記案内レール側面に形成された転動体転動溝及びその転動体転動溝に対向するように前記スライダ本体に形成された転動体転動溝で構成される転動体転動路と、前記スライダの端面間を貫通する転動体戻り路と、それら転動体転動路及び転動体戻り路を連通するように前記エンドキャップに形成された方向転換路とで転動体循環路とが形成され、その転動体循環路内に転動自在に多数の転動体を挿入してなり、前記案内レールの転動体転動溝を複数備えると共に、前記スライダ本体の転動体転動溝を複数備え、それらスライダ本体の転動体転動溝間に設けられて前記転動体の脱落を防止する転動体保持器を備え、さらに、前記エンドキャップは透明の樹脂製であるリニアガイドの前記転動体保持器であって、透明な樹脂製であることを特徴とする。
さらに、本発明のリニアガイドは、請求項１記載のエンドキャップを備えたことを特徴とする。
【０００７】
また、請求項２記載の転動体保持器を備えたものであってもよい。
さらに、互いに隣り合う転動体間に介挿されるセパレータを備え、前記セパレータは不透明の樹脂製であってもよい。
このような構成によれば、方向転換路を通過する転動体の様子をエンドキャップの透明な樹脂越しに外部から観察することができ、リニアガイドを分解する手間がなく、転動体の玉抜けや潤滑状態等、内部の様子を容易に確認することができる。
【発明を実施するための最良の形態】
【０００８】
以下、本発明のエンドキャップ及び転動体保持器を備えたリニアガイドの一実施形態を図面に基づいて説明する。
図１は、本実施形態のリニアガイドを一部破断して示す側面図である。
この図１に示すように、リニアガイド１は、直線状に伸びている案内レール２と、その案内レール２の転動体溝に対向する転動体転動溝を有し、案内レール２に跨架されたスライダ３と、それら案内レール２側面の上下２カ所に形成された転動体転動溝及びその転動体転動溝に対向するようにスライダ３の内側側面の上下２カ所に形成された転動体転動溝で構成された２条の転動体転動路４と、それら転動体転動路４に転動自在に挿入された複数の転動体５と、互いに隣り合う転動体５間に介挿された黒色の樹脂製のセパレータ６と、を含んで構成され、それら複数の転動体５を介してスライダ３を案内レール２の長手方向に沿って相対移動可能としている。
【０００９】
また、スライダ３は、端面間を貫通する転動体戻り路７を有するスライダ本体３ａと、前記両転動体転動路４、７間を連通する湾曲状の方向転換路を有してスライダ本体３ａの軸方向の端面に固定された透明な樹脂製のエンドキャップ３ｂと、スライダ３の転動体転動溝間に設けられ、両端部がエンドキャップ３ｂに挿入されて転動体５の脱落を防止する透明な樹脂製の転動体保持器３ｃと、を含んで構成される。
【００１０】
なお、エンドキャップ３ｂ及び転動体保持器３ｃを形成する透明な樹脂としては、例えば、ポリアリレートやポリサルフォン等の非結晶性プラスチックが挙げられる。
このように、本実施形態のリニアガイド１にあっては、エンドキャップ３ｂを透明な樹脂で形成した。そのため、方向転換路を通過する転動体５の様子をエンドキャップ３ｂの透明な樹脂越しに外部から観察することができ、リニアガイド１を分解する手間がなく、転動体５の玉抜けや潤滑状態等、内部の様子を容易に確認することができ、その結果、リニアガイド１の内部における破損等の早期発見が容易となる。
【００１１】
また、エンドキャップ３ｂに加えて、転動体保持器３ｃも透明な樹脂で形成した。そのため、エンドキャップ３ｂ及び転動体保持器３ｃの透明な樹脂越しに、転動体５とセパレータ６とが交互に入っていることや転動体５の数等、リニアガイド１の内部の様子を外部から目視で容易に確認することができ、リニアガイド１の組み立て時に、リニアガイド１を容易に検査することができる。なお、セパレータ６は黒色の樹脂で形成したため、透明な樹脂で形成する場合に比べ、内部の様子をより容易に目視で確認できる。
【００１２】
なお、本発明のエンドキャップ、転動体保持器及びリニアガイドは、上記実施の形態の内容に限定されるものではなく、本発明の趣旨を逸脱しない範囲で適宜変更可能である。
上記実施形態では、互いに隣り合う転動体５間にセパレータ６を介挿する例を備えたが、これに限られるものではない。例えば、セパレータ６を省いてもよい。
また、転動体保持器３ｃを透明な樹脂で形成する例を示したが、これに限られるものではない。例えば、不透明な樹脂で形成してもよい。
【図面の簡単な説明】
【００１３】
【図１】本発明のリニアガイドの一実施形態を一部破断して示す側面図である。
【符号の説明】
【００１４】
１はリニアガイド、２は案内レール、３はスライダ、３ａはスライダ本体、３ｂはエンドキャップ、３ｃは転動体保持器、４は転動体転動路、５は転動体、６はセパレータ、７は転動体戻り路
【図１】
2007298053.tif 000003